(57)【要約】      （修正有）【課題】膨張しても結束シールが容易に剥がれないパッケージ集合体を提供する。【解決手段】ウエットティッシュを収容する複数のパッケージ２０を上下方向Ｚに積層された状態で固定するための結束シール３０と、横方向Ｘに対向する第１側面１１および第２側面１２と、縦方向Ｙに対向する第３側面１３および第４側面１４と、上下方向Ｚに対向する上面１５および下面１６とを備えている。第１側面１１および第２側面１２は、縦方向Ｙへ延びる縦境界線１７を有し、第３側面１３および第４側面１４は、横方向Ｘへ延びる横境界線１８を有している。結束シール３０は、第１側面１１および第２側面１２の少なくとも一方の側面において、縦境界線１７と交差するように上下方向Ｚへ延在してパッケージ２０を結束しており、パッケージ２０に貼付された幅広域３２ａ，３２ｂと、縦境界線１７上に位置する、幅狭域３３とを有している。【選択図】図１
0003205408.tif 000002
【実用新案登録請求の範囲】
【請求項１】
縦方向、横方向、および上下方向を有し、ウエットティッシュを収容するパッケージと、複数の前記パッケージを前記上下方向に積層された状態で固定するための結束シールと、前記横方向に対向する第１側面および第２側面と、前記縦方向に対向する第３側面および第４側面と、前記上下方向に対向する上面および下面とを備えるパッケージ集合体であって、
前記パッケージと前記パッケージとの間において、前記第１側面および前記第２側面は、前記縦方向へ延びる縦境界線を有し、前記第３側面および前記第４側面は、前記横方向へ延びる横境界線を有し、
前記結束シールは、前記第１側面および前記第２側面の少なくとも一方の側面において、前記縦境界線と交差するように前記上下方向へ延在して前記パッケージと前記パッケージとを結束しており、前記パッケージに貼付された幅広域と、前記幅広域の間において少なくとも前記縦境界線上に位置する、前記幅広域よりも幅狭である幅狭域とを有するパッケージ集合体。
【請求項２】
前記結束シールの少なくとも一方の側縁は、前記幅広域と前記幅狭域との間の境界ラインから前記上下方向の両端縁へ向かって前記縦方向の外方へ延びる延出部を有する請求項１に記載のパッケージ集合体。
【請求項３】
前記幅狭域が前記パッケージに貼付される請求項１又は２に記載のパッケージ集合体。
【請求項４】
前記パッケージが膨らんだ状態になると、前記幅狭域が前記パッケージから剥がれる請求項１〜３のいずれかに記載のパッケージ集合体。
【請求項５】
前記第１側面および前記第２側面にのみ前記結束シールを有し、前記第３側面、前記第４側面、前記上面、および前記下面には前記結束シールを有していない請求項１〜４のいずれかに記載のパッケージ集合体。
【請求項６】
前記パッケージは、ウエットティッシュを取り出すための開口を前記上面に有し、
前記結束シールは、前記第１側面に位置する第１部分と、前記第２側面に位置する第２部分と、前記第１部分と前記第２部分とを連結し、前記開口を有していない前記下面と平面視において重なる第３部分とを有する請求項１〜４のいずれかに記載のパッケージ集合体。
【考案の詳細な説明】
【技術分野】
【０００１】
本考案は、ウエットティッシュを収容するパッケージと、複数のパッケージを上下方向に積層された状態で固定するための結束シールとを備えるパッケージ集合体に関する。
【背景技術】
【０００２】
従来、即席乾麺（インスタントラーメン）を収容するパッケージと、複数のパッケージを上下方向に積層された状態で固定するための結束シールとを備えるパッケージ集合体は公知である。例えば、特許文献１には、縦方向、横方向、および上下方向を有し、横方向に対向する第１側面および第２側面と、縦方向に対向する第３側面および第４側面と、上下方向に対向する上面および下面とを有するパッケージ集合体が開示されている。
【０００３】
特許文献１に開示されたパッケージ集合体の結束シールは、矩形状に形成されており、上下方向において、結束シールの上部を第１のパッケージに貼り付ける一方、結束シールの下部を第２のパッケージに貼り付け、複数のパッケージを上下方向に積層された状態で固定していた。
【先行技術文献】
【特許文献】
【０００４】
【特許文献１】特開２００１−３４８０５５（Ｐ２００１−３４８０５５Ａ）
【考案の概要】
【考案が解決しようとする課題】
【０００５】
ところで、ウエットティッシュを収容するパッケージは、内部の液体が蒸発するのを防止するために気密性が高い。このため、夏季若しくは暖房器具の使用等によって、パッケージの内部の温度が上昇したとき、パッケージが膨らむことがある。
【０００６】
このとき、上記矩形状の結束シールを、ウエットティッシュを収容するパッケージにそのまま適用したのでは、パッケージが膨らんだ状態となると、結束シールの一部が剥がれ始め、パッケージの膨張とともに、結束シールがパッケージから徐々に剥がれ、結束シールによる複数のパッケージの固定が外れてしまうおそれがある。本考案の考案者が、鋭意研究したところ、結束シールの剥がれ始めから終わりに至るまで、結束シールを剥がすのに必要な力が一定であることが、結束シールが剥がれてしまう原因であると考えられる。
【０００７】
本考案は、従来のパッケージ集合体の改良であって、パッケージが膨張しても結束シールが容易に剥がれないパッケージ集合体の提供を課題にしている。
【課題を解決するための手段】
【０００８】
前記課題を解決するために、本考案は、縦方向、横方向、及び上下方向を有し、ウエットティッシュを収容する複数のパッケージと、前記パッケージを前記上下方向に積層された状態で固定するための結束シールと、前記横方向に対向する第１側面および第２側面と、前記縦方向に対向する第３側面および第４側面と、前記上下方向に対向する上面および下面とを備えるパッケージ集合体に関する。
【０００９】
本考案に係るパッケージ集合体は、前記パッケージと前記パッケージとの間において、前記第１側面、前記第２側面、前記第３側面、および前記第４側面は、前記縦方向および前記横方向へ延びる境界線を有し、前記結束シールは、前記第１側面および前記第２側面の少なくとも一方の側面において、前記境界線と交差するように前記上下方向へ延在して前記パッケージと前記パッケージとを結束しており、前記パッケージに貼付された幅広域と、前記幅広域の間において少なくとも前記境界線上に位置する、前記幅広域よりも幅狭である幅狭域とを有することを特徴とする。
【００１０】
前記結束シールの少なくとも一方の側縁は、前記幅広域と前記幅狭域との間の境界ラインから前記上下方向の両端縁へ向かって前記縦方向の外方へ延びる延出部を有する。このため、パッケージが膨らみ境界ラインの手前まで結束シールが剥がれた状態では、その後、さらにパッケージが膨らんでも延出部が大きな抵抗となって結束シールが剥がれるのを防止することができる。
【００１１】
前記幅狭域が前記パッケージに貼付される。このため、結束シールがパッケージの形に沿って変形し、ゴミ等の異物が結束シールに付くのを防止することができる。
【００１２】
前記パッケージが膨らんだ状態になると、前記幅狭域が前記パッケージから剥がれる。このため、膨らんだ状態では、パッケージを分離しやすくできる。
【００１３】
前記第１側面および前記第２側面にのみ前記結束シールを有し、前記第３側面、前記第４側面、前記上面、および前記下面には前記結束シールを有していない。このため、結束シールの面積を可及的に小さくことができ、これにより、無駄な資源を浪費することを防止できる。しかも、パッケージの第３側面、第４側面、上面、および下面に描かれている図形が結束シールに覆われることを防止でき、美観が低下するのを抑えることができる。
【００１４】
前記パッケージは、ウエットティッシュを取り出すための開口を前記上面に有し、前記結束シールは、前記第１側面に位置する第１部分と、前記第２側面に位置する第２部分と、前記第１部分と前記第２部分とを連結し、前記開口を有していない前記下面と平面視において重なる第３部分とを有する。このため、開口が結束シールで覆われることがなく、これにより、容易にウエットティッシュを開口から取り出すことができる。
【考案の効果】
【００１５】
本考案に係るパッケージ集合体によれば、結束シールは、第１側面および第２側面の少なくとも一方の側面において、境界線と交差するように上下方向へ延在してパッケージとパッケージとを結束しており、パッケージに貼付された幅広域と、幅広域の間において少なくとも境界線上に位置する、幅広域よりも幅狭である幅狭域とを有する。このため、幅狭域と幅広域との間では、結束シールを剥がすのに必要な力が突然大きくなるため、パッケージが膨張したときにおいてもパッケージから結束シールが剥がれるのを防止することができる。
【図面の簡単な説明】
【００１６】
図面は、本考案の特定の実施の形態を示し、考案の不可欠な構成ばかりでなく、選択的及び好ましい実施の形態を含む。
【図１】本考案の第１実施形態に係るパッケージ集合体の斜視図。
【図２】第１実施形態の変形例１に係るパッケージ集合体の斜視図。
【図３】本考案の第２実施形態に係るパッケージ集合体の斜視図。
【図４】パッケージ集合体のパッケージが膨らんだ状態を示す斜視図。
【図５】第２実施形態の変形例１に係るパッケージ集合体の斜視図。
【図６】本考案の第３実施形態に係るパッケージ集合体の斜視図。
【００１７】
下記の実施の形態は、図１〜図６に示すパッケージ集合体１０に関し、考案の不可欠な構成ばかりではなく、選択的及び好ましい構成を含む。
【００１８】
＜第１実施形態＞
図１を参照すると、パッケージ集合体１０は、互いに交差（直交）する縦方向Ｙ、横方向Ｘ、及び上下方向Ｚを有し、ウエットティッシュを収容するパッケージ２０と、複数のパッケージ２０を上下方向Ｚに積層された状態で固定するための結束シール３０と、横方向Ｘに対向する第１側面１１および第２側面１２と、縦方向Ｙに対向する第３側面１３および第４側面１４と、上下方向Ｚに対向する上面１５および下面１６とを有している。
【００１９】
パッケージ２０は、例えば、ポリエチレン、ポリプロピレン、ポリエステルなどの気密性を有することが可能であって比較的に柔軟な素材を材料とした、質量４０〜５０ｇ／ｍ２の可撓性のプラスチックフィルムから形成された外装シート２１を有する。外装シート２１は、縦方向Ｙの両端部に開口部２２を有する筒状であって、それらの両端部を互いに重ね合わせた状態で、該開口部２２をヒートシール加工によって封止して形成された袋状を呈しており、縦方向Ｙの両端部に位置する側面２３ａ，２３ｂには、ヒートシール加工によって形成された封止部２３が横方向Ｘへ延びている。また、外装シート２１の上面１５には、ウエットティッシュを取り出すための開口２５が形成してあるとともに、開口２５を覆う被覆シール２６が貼り付けてある。
【００２０】
パッケージ２０の内部には、複数のウエットティッシュ（不図示）が折り畳まれた状態であって、上方に積層されたウエットティッシュを開口２５から取り出すと、次のウエットティッシュの一部が開口２５から現れるように積層した状態で収容してある。
【００２１】
結束シール３０は、第１側面１１および第２側面１２のそれぞれに位置している（図１では、第１側面１１に位置する結束シール３０のみを示し、第２側面１２に位置する結束シールを省略してあるが、２枚の結束シールは、横方向Ｘにおいて対称となるように配置してある）。各結束シール３０は、上下方向Ｚへ延びており、上下方向Ｚにおいて互いに対向して直状に延びる両端縁３１ａ，３１ｂと、縦方向Ｙにおいて互いに対向する両側縁３４ａ，３４ｂとを有し、上下方向Ｚの両端縁３１ａ，３１ｂ側に位置する幅広域３２ａ，３２ｂと、幅広域３２ａ，３２ｂの間に位置し、幅広域３２ａ，３２ｂよりも縦方向Ｙの寸法が小さい幅狭域３３とを備えている。結束シール３０は、両側縁３４ａ，３４ｂの幅広域３２ａ，３２ｂに、縦方向Ｙの外方へ延びる延出部３５を有している。より具体的に説明すると、幅狭域３３の縦方向Ｙの寸法Ｌ１に対し、延出部３５は、縦方向Ｙにおいて、幅狭域３３の縦方向Ｙの外側に位置する部分である（図１において、幅狭域３３の縦方向Ｙの寸法Ｌ１を仮想線Ｌ９で示してあり、仮想線Ｌ９の縦方向Ｙの外方に位置する部分である。結束シール３０の両側縁３４ａ，３４ｂは、上下方向Ｚおよび縦方向Ｙに対して傾斜する直状を呈している。結束シール３０は、第１側面１１および第２側面１２にのみ貼付されている一方、第３側面１３、第４側面１４、上面１５、および下面１６には貼付されていない。
【００２２】
結束シール３０は、裏面（パッケージ２０の外装シート２１に対向する面）に感圧性接着剤が塗布されており、裏面の上部に位置する幅広域３２ａが感圧性接着剤を介して上方に配置されたパッケージ２０の外装シート２１に貼付されているとともに、裏面の下部に位置する幅広域３２ｂが感圧性接着剤を介して下方に配置されたパッケージ２０の外装シート２１に貼付されている。これらによって、結束シール３０は、２つのパッケージ２０を上下方向Ｚに積層された状態で固定している。
【００２３】
パッケージ２０とパッケージ２０との間において、第１側面１１および第２側面１２は、縦方向Ｙへ延びる縦境界線１７を有し、第３側面１３および第４側面１４は、横方向Ｘへ延びる横境界線１８を有している。結束シール３０は、縦境界線１７と交差するように上下方向Ｚへ延存し、その幅狭域３３は、縦境界線１７上に位置している。
【００２４】
このようなパッケージ２０は、パッケージ２０の内部の液体が蒸発するのを防止するため、気密性が高く、夏季若しくは暖房器具の使用等によって、パッケージ２０の内部の温度が上昇したとき、内部の液体が蒸発するとともに気体が膨張する。
【００２５】
このパッケージ集合体１０によれば、幅狭域３３が縦境界線１７上に位置し、幅広域３２ａ，３２ｂと幅狭域３３とを結束シール３０が有しているため、幅狭域３３と幅広域３２ａ，３２ｂとの間では、結束シール３０を剥がすのに必要な力が突然大きくなる。これにより、パッケージ２０が膨らんでも結束シール３０が剥がれるのを防止することができる。
【００２６】
加えて、結束シール３０は、第１側面１１および第２側面１２にのみ貼付されている一方、第３側面１３、第４側面１４、上面１５、および下面１６には貼付されていないため、結束シール３０の面積を可及的に小さくすることができる、このため、無駄な資源を浪費することを防止することができる。しかも、パッケージ２０の第３側面１３、第４側面１４、上面１５、および下面１６に描かれている図形が結束シール３０に覆われることを防止でき、美観が低下するのを抑えることができる。
【００２７】
＜変形例１＞
図２は、変形例１に係るパッケージ集合体１０において、第１実施形態のパッケージ集合体１０の図１と同様の斜視図である。このパッケージ集合体１０の結束シール３０は、第１実施形態に係るパッケージ集合体１０と基本的構造が同じであって、相違する点についてのみ以下に記載する。
【００２８】
この結束シール３０の両端縁３１ａ，３１ｂおよび両側縁３４ａ，３４ｂは、曲状を呈し、両端縁３１ａ，３１ｂは、上下方向Ｚへ突出し、両側縁３４ａ，３４ｂは、縦方向Ｙの外側へ突出している。このような結束シール３０も、上記結束シール３０と同様の作用・効果を有している。なお、上記した作用・効果を奏する限り、結束シール３０の形状は、第１実施形態の結束シール３０および変形例１の結束シール３０に限られない。
【００２９】
＜第２実施形態＞
図３は、第２実施形態に係るパッケージ集合体１０において、第１実施形態のパッケージ集合体１０の図１と同様の斜視図である。本実施形態に係るパッケージ集合体１０は、第１実施形態に係るパッケージ集合体１０と基本的構造が同じであって、相違する点についてのみ以下に説明する。
【００３０】
幅狭域３３の裏面の上部は、上方に配置されたパッケージ２０の外装シート２１に貼付されているとともに、幅狭域３３の裏面の下部は、下方に配置されたパッケージ２０の外装シート２１に貼付されている。
【００３１】
この結束シール３０は、幅広域３２ａ，３２ｂと幅狭域３３との間に境界ライン３６ａ，３６ｂを有している。結束シール３０の幅狭域３３は、上下方向Ｚへ延びるように形成してあって、縦方向Ｙにおいて互いに対向する両側縁３７ａ，３７ｂを有している。両側縁３７ａ，３７ｂは、直状を呈し、幅狭域３３の縦方向Ｙの寸法Ｌ１は一定である。幅広域３２ａ，３２ｂは、延出部３５を有しているため、境界ライン３６ａの上部、および境界ライン３６ｂの下部における幅広域３２ａ，３２ｂの縦方向の寸法Ｌ２は、幅狭域３３の縦方向Ｙの寸法よりも大きい。
【００３２】
このようなパッケージ２０は、パッケージ２０の内部の液体が蒸発するのを防止するため、気密性が高く、夏季若しくは暖房器具の使用等によって、パッケージ２０の内部の温度が上昇したとき、内部の液体が蒸発するとともに気体が膨張する。
【００３３】
パッケージ２０が膨らみ始めると、図４に示すように、先ず、上方に位置するパッケージ２０と、下方に位置するパッケージ２０との間において、縦境界線１７上に位置する幅狭域３３が剥がれ、その剥がれた部位３９は、上方および下方へ向かって拡がる。その後、剥がれた部位３９が、幅広域３２ａ，３２ｂと幅狭域３３との間の境界ライン３６ａ，３６ｂまで拡がると、その後、さらにパッケージ２０が膨らんでも、延出部３５が剥がれるときの大きな抵抗となるため、結束シール３０の幅広域３２ａ，３２ｂが剥がれるのを防止することができる。より具体的に説明すると、幅狭域３３と、幅広域３２ａ，３２ｂとの間の境界ライン３６ａ，３６ｂにおいて、幅狭域３３の縦方向Ｙの寸法Ｌ１と、幅広域３２ａ，３２ｂの縦方向Ｙの寸法Ｌ２とが大きく変化するため、この境界ライン３６ａ，３６ｂよりも上下方向Ｚの外側における幅広域３２ａ，３２ｂによって、結束シール３０がパッケージ２０から剥がれるのを防止することができる。なお、上記した作用・効果を奏する限り、結束シール３０の形状は、第２実施形態の結束シール３０に限られない。
【００３４】
また、幅狭域３３の縦方向Ｙの全域が、上方に位置するパッケージ２０の外装シート２１および下方に位置するパッケージ２０の外装シート２１に貼付されていれば、結束シール３０がパッケージ２０の形に沿って変形し、ゴミ等の異物が結束シール３０の裏面に付くのを防止することができる。
【００３５】
さらに、パッケージ２０が膨らんだ状態では、幅狭域３３がパッケージ２０から剥がれるため、上方に位置するパッケージ２０と下方に位置するパッケージ２０とを容易に分離することができる。
【００３６】
＜変形例１＞
図５は、変形例１に係るパッケージ集合体１０において、第２実施形態のパッケージ集合体１０の図３と同様の斜視図である。このパッケージ集合体１０の結束シール３０は、第２実施形態の変形例１に係るパッケージ集合体１０と基本的構造が同じであって、相違する点についてのみ以下に記載する。
【００３７】
この結束シール３０の幅広域３２ａ，３２ｂの両端縁３１ａ，３１ｂおよび両側縁３４ａ，３４ｂは直状をそれぞれ呈し、幅広域３２ａ，３２ｂは矩形状である。より具体的に幅広域３２ａ，３２ｂを説明すると、幅広域３２ａ，３２ｂは、上下方向Ｚにおいて互いに対向し、縦方向Ｙへ直状に延びる両端縁３１ａ，３１ｂである外端縁と、内端縁３１ｃ，３１ｄとを有している。
【００３８】
この結束シール３０では、幅狭域３３の直状の両側縁３７ａ，３７ｂと、幅広域３２ａ，３２ｂの直状の内端縁３１ｃ，３１ｄとが直交している。このため、パッケージ２０が膨らみ始めることによって生じる剥がれた部位が、幅広域３２ａ，３２ｂと幅狭域３３との間の境界ライン３６ａ，３６ｂまで拡がると、その後、さらにパッケージ２０が膨らんでも、延出部３５が剥がれるときの大きな抵抗となり、これによって、結束シール３０の幅広域３２ａ，３２ｂが剥がれるのを防止することができる。より具体的に説明すると、幅狭域３３と、幅広域３２ａ，３２ｂとの間の境界ライン３６ａ，３６ｂにおいて、幅狭域３３の縦方向Ｙの寸法Ｌ１と、幅広域３２ａ，３２ｂの縦方向Ｙの寸法Ｌ２とが大きく変化するため、この境界ライン３６ａ，３６ｂよりも上下方向Ｚの外側における幅広域３２ａ，３２ｂによって、結束シール３０がパッケージ２０から剥がれるのを防止することができる。
【００３９】
なお、第１実施形態および第２実施形態において、結束シール３０は、両側縁３４ａ，３４ｂのそれぞれに延出部３５を備える例を示したが、本考案はこれに限られず、両側縁３４ａ，３４ｂのうち、少なくとも一方の側縁が延出部を有していればよい。
【００４０】
＜第３実施形態＞
図６は、第３実施形態に係るパッケージ集合体１０において、第２実施形態の変形例１のパッケージ集合体１０の図５と同様の斜視図である。本実施形態に係るパッケージ集合体１０は、第２実施形態の変形例１に係るパッケージ集合体１０と基本的構造が同じであって、相違する点についてのみ以下に説明する。
【００４１】
結束シール３０は、第１側面１１に位置する第１部分５１と、第２側面１２に位置する第２部分５２と、第１部分５１と第２部分５２とを連結し、開口２５を有していない下面１６と平面視において重なる第３部分５３とを有している。より具体的に説明すると、第１部分５１は、幅広域３２ｂの下端から、さらに上下方向Ｚの下方へ延びる部位５１ａを有し、第２部分５２は、幅広域３２ｂの下端から、さらに上下方向Ｚの下方へ延びる部位５２ａを有し、第３部分５３は、第１部分５１の下方に位置する部位５１ａと、第２部分５２の下方に位置する部位５２ａとを連結する部分であって、下方に位置するパッケージ２０の下面１６に貼付している部分である。また、結束シール３０の第３部分５３は、下面１６と平面視において重なる部分である。
【００４２】
第１部分５１は、部位５１ａを除いた部分が、第２実施形態の変形例１における第１側面１１に位置する結束シール３０と同一形状である。第２部分５２は、部位５２ａを除いた部分が、第２実施形態の変形例１における第２側面１２の結束シール３０と同一形状である。
【００４３】
この実施形態に係るパッケージ集合体１０によれば、開口２５が結束シールで覆われることがないため、容易にウエットティッシュを開口２５から取り出すことができる。しかも、下方のパッケージ２０に、結束シール３０の第３部分５３が貼付しているため、上方のパッケージと下方のパッケージとを強固に固定することができる。
【００４４】
なお、第１実施形態〜第３実施形態には、パッケージ集合体１０が、２つのパッケージ２０を備える例を示したが、本考案は、これらの実施形態に限定されることなはなく、パッケージ集合体１０が３つ以上のパッケージ２０を備えてもよい。
【００４５】
上記した変形例を含む第１実施形態〜第３実施形態に係るパッケージ集合体１０は、分離して又は互いに組み合わせて採択することができる。
【００４６】
パッケージ集合体１０を構成する部材には、特に明記されていない限りにおいて、本明細書に記載されている材料のほかに、この種の分野において通常用いられている公知の材料を制限なく用いることができる。また、本明細書において使用されている「第１」、「第２」および「第３」等の用語は、同様の要素、位置等を単に区別するために用いられている。
【符号の説明】
【００４７】
１０    パッケージ集合体
１１    第１側面
１２    第２側面
１３    第３側面
１４    第４側面
１５    上面
１６    下面
１７    縦境界線
１８    横境界線
２０    パッケージ
２５    開口
３０    結束シール
３２ａ  幅広域
３２ｂ  幅広域
３３    幅狭域
３５    延出部
５１    第１部分
５２    第２部分
５３    第３部分
Ｘ      横方向
Ｙ      縦方向
Ｚ      上下方向
【図１】
0003205408.tif 000003
【図２】
0003205408.tif 000004
【図３】
0003205408.tif 000005
【図４】
0003205408.tif 000006
【図５】
0003205408.tif 000007
【図６】
0003205408.tif 000008